(57)【特許請求の範囲】
【請求項１】
端末装置が無線標識から取得した無線標識情報に基づいて、前記端末装置の位置情報を検出する検出手段と、
イベントの時間情報、位置情報、及びイベントの参加者が使用する端末装置の端末情報を含むスケジュール情報を検出するスケジュール情報検出手段と、
前記端末装置と他の端末装置との通信により前記他の端末装置の端末情報を位置確認情報として取得する取得手段と、
前記端末装置からの送信要求を許可する許可手段と、
を有し、
前記許可手段は、前記端末装置の位置情報が、前記スケジュール情報検出手段により検出されたスケジュール情報の位置情報と一致し、前記位置確認情報として取得された端末情報が、前記スケジュール情報検出手段により検出されたスケジュール情報の端末情報に含まれている場合に、前記端末装置からの送信要求を許可する
制御装置。
【請求項２】
無線標識と、
前記無線標識から取得した無線標識情報を送信する第１の送信手段と、自装置と他の端末装置との通信により前記他の端末装置の端末情報を位置確認情報として送信する第２の送信手段と、前記第１の送信手段により送信した位置情報と前記第２の送信手段により送信した位置確認情報に基づいて許可されたデータを受け付ける受付手段と、を有する端末装置と、
前記第１の送信手段により送信された無線標識情報に基づいて、前記端末装置の位置情報を検出する検出手段と、イベントの時間情報、位置情報、及びイベントの参加者が使用する端末装置の端末情報を含むスケジュール情報を検出するスケジュール情報検出手段と、前記第２の送信手段により送信された前記他の端末装置の端末情報を位置確認情報として取得する取得手段と、前記端末装置からのデータの送信要求を許可する許可手段と、を有し、前記許可手段は、前記端末装置の位置情報が、前記スケジュール情報検出手段により検出されたスケジュール情報の位置情報と一致し、前記位置確認情報として取得された端末情報が、前記スケジュール情報検出手段により検出されたスケジュール情報の端末情報に含まれている場合に、前記端末装置からの送信要求を許可する制御装置と、
を有する位置確認システム。
【請求項３】
端末装置が無線標識から取得した無線標識情報に基づいて、前記端末装置の位置情報を検出するステップと、
イベントの時間情報、位置情報、及びイベントの参加者が使用する端末装置の端末情報を含むスケジュール情報を検出するステップと、
前記端末装置と他の端末装置との通信により前記他の端末装置の端末情報を位置確認情報として取得するステップと、
前記端末装置の位置情報が、前記スケジュール情報の位置情報と一致し、前記位置確認情報として取得された端末情報が、前記スケジュール情報の端末情報に含まれている場合に、前記端末装置からの送信要求を許可するステップと、
をコンピュータにより制御装置に実行させるためのプログラム。
【発明の詳細な説明】
【技術分野】
【０００１】
本発明は、制御装置、位置確認システム及びプログラムに関する。
【背景技術】
【０００２】
特許文献１には、偏在する無線装置が送信する電波を用いて行動範囲を把握する行動範囲把握方法であって、行動範囲把握対象が存在する位置で前記偏在する無線装置が送信する電波を受信し、受信した電波から前記位置の特徴を検出する検出ステップと、前記検出ステップにおいて検出された前記位置の特徴を履歴データとして保存する履歴保存ステップと、前記履歴保存ステップにおいて保存された前記履歴データから前記行動範囲把握対象の移動経路のトポロジーを推定する経路推定ステップと、を含む構成が開示されている。
【０００３】
特許文献２には、仕切られた空間内に存在する、１つのアンテナを有する１又は複数の携帯端末から前記アンテナを通じて無線伝送される前記携帯端末の識別情報に基づき、前記携帯端末の前記空間内における位置を推定する位置推定システムにおいて、前記空間内の適宜な箇所に各々配置される複数の識別情報受信処理部であって、前記携帯端末からの識別情報を受信するための複数のアンテナを有し、各アンテナを通じて受信した識別情報中から受信電波強度が最大のものを抽出する複数の識別情報受信処理部と、前記各識別情報受信処理部から個別に伝送される前記識別情報中から受信電波強度の最大のものを抽出すると共に、該抽出された識別情報の伝送先である識別情報受信処理部を検索し、該検索された識別情報受信処理部の配置位置に基づいて前記空間内における前記携帯端末の位置を推定する情報処理部と、を備える構成が開示されている。
【０００４】
特許文献３には、移動無線端末と、階層建築物の２階層以上のそれぞれの階層に複数個設置され、前記移動無線端末から送信される位置ビーコン信号の受信電波強度を測定する固定位置推定ノードと、前記複数の固定位置推定ノードで測定された受信電波強度の情報に基づいて、前記移動体無線端末の位置推定を行う位置推定サーバとを備え、各階層ごとの前記複数の固定位置推定ノードは、各階層のほぼ同じ平面位置に配置される構成が開示されている。
【０００５】
特許文献４には、移動可能に設けられる複数の端末装置を備え、前記各端末装置は、ＧＰＳ信号を受信し、そのＧＰＳ信号に基づいてその端末装置が位置する現在位置を検出する位置検出手段と、無線通信により他の端末装置との間で中継局を介さずに直接通信を行う第１の通信手段と、画像、光および音のうちの少なくともいずれか１つを出力可能な出力手段と、前記位置検出手段が検出した前記現在位置に関する位置情報を含む伝送情報を他の端末装置との間で前記無線通信により前記第１の通信手段を介して送受し、受信した前記伝送情報に含まれる前記位置情報に基づいて前記他の端末装置が位置する前記現在位置を前記出力手段を介して出力する制御手段と、を備える構成が開示されている。
【先行技術文献】
【特許文献】
【０００６】
【特許文献１】特開２００９−１５９３３６号公報
【特許文献２】特開２００８−１９９３６０号公報
【特許文献３】特開２００８−１７５７３４号公報
【特許文献４】特開２００３−１６６８３５号公報
【発明の概要】
【発明が解決しようとする課題】
【０００７】
屋内にいる端末装置を使用するユーザに対して、データの送信を場所や時間に応じて制限したい場合がある。このためには、ユーザがデータ送信可能な場所にいるのか、送信可能な時間なのかを検出することが重要であり、ユーザの位置検出については、屋内に設置した無線標識であるビーコンを用いてユーザが保有している端末装置と通信させることで情報を抽出することができる。
【０００８】
しかしながら、ユーザの位置検出について、ビーコンが不正に持ち去られて別の場所で使用された場合等のように、ビーコン情報から推定された位置が正しいか否かについての真正性をどのように保証するかという課題がある。
【０００９】
本発明の目的は、位置情報の真正性を保証して、データの送受信をするようにする制御装置、位置確認システム及びプログラムを提供することである。
【課題を解決するための手段】
【００１０】
請求項１に係る本発明は、端末装置が無線標識から取得した無線標識情報に基づいて、前記端末装置の位置情報を検出する検出手段と、イベントの時間情報、位置情報、及びイベントの参加者が使用する端末装置の端末情報を含むスケジュール情報を検出するスケジュール情報検出手段と、前記端末装置と他の端末装置との通信により前記他の端末装置の端末情報を位置確認情報として取得する取得手段と、前記端末装置からの送信要求を許可する許可手段と、を有し、前記許可手段は、前記端末装置の位置情報が、前記スケジュール情報検出手段により検出されたスケジュール情報の位置情報と一致し、前記位置確認情報として取得された端末情報が、前記スケジュール情報検出手段により検出されたスケジュール情報の端末情報に含まれている場合に、前記端末装置からの送信要求を許可する制御装置である。
【００１４】
請求項２に係る本発明は、無線標識と、前記無線標識から取得した無線標識情報を送信する第１の送信手段と、自装置と他の端末装置との通信により前記他の端末装置の端末情報を位置確認情報として送信する第２の送信手段と、前記第１の送信手段により送信した位置情報と前記第２の送信手段により送信した位置確認情報に基づいて許可されたデータを受け付ける受付手段と、を有する端末装置と、前記第１の送信手段により送信された無線標識情報に基づいて、前記端末装置の位置情報を検出する検出手段と、イベントの時間情報、位置情報、及びイベントの参加者が使用する端末装置の端末情報を含むスケジュール情報を検出するスケジュール情報検出手段と、前記第２の送信手段により送信された前記他の端末装置の端末情報を位置確認情報として取得する取得手段と、前記端末装置からのデータの送信要求を許可する許可手段と、を有し、前記許可手段は、前記端末装置の位置情報が、前記スケジュール情報検出手段により検出されたスケジュール情報の位置情報と一致し、前記位置確認情報として取得された端末情報が、前記スケジュール情報検出手段により検出されたスケジュール情報の端末情報に含まれている場合に、前記端末装置からの送信要求を許可する制御装置と、を有する位置確認システムである。
【００１５】
請求項３に係る本発明は、端末装置が無線標識から取得した無線標識情報に基づいて、前記端末装置の位置情報を検出するステップと、イベントの時間情報、位置情報、及びイベントの参加者が使用する端末装置の端末情報を含むスケジュール情報を検出するステップと、前記端末装置と他の端末装置との通信により前記他の端末装置の端末情報を位置確認情報として取得するステップと、前記端末装置の位置情報が、前記スケジュール情報の位置情報と一致し、前記位置確認情報として取得された端末情報が、前記スケジュール情報の端末情報に含まれている場合に、前記端末装置からの送信要求を許可するステップと、をコンピュータにより制御装置に実行させるためのプログラムである。
【発明の効果】
【００１６】
請求項１に係る本発明によれば、位置情報の真正性を保証して、データの送信をするようにする制御装置を提供することができる。また、請求項１に係る本発明によれば、スケジュールの位置情報に基づいて、位置情報の真正性を保証して、データの送信をすることができる。また、請求項１に係る本発明によれば、スケジュールの端末情報に基づいて、位置情報の真正性を保証して、データの送信をすることができる。
【００２０】
請求項２に係る本発明によれば、位置情報の真正性を保証して、データの送信をするようにする位置確認システムを提供することができる。また、請求項２に係る本発明によれば、スケジュールの位置情報に基づいて、位置情報の真正性を保証して、データの送信をすることができる。また、請求項２に係る本発明によれば、スケジュールの端末情報に基づいて、位置情報の真正性を保証して、データの送信をすることができる。
【００２１】
請求項３に係る本発明によれば、位置情報の真正性を保証して、データの送信をするようにするプログラムを提供することができる。また、請求項３に係る本発明によれば、スケジュールの位置情報に基づいて、位置情報の真正性を保証して、データの送信をすることができる。また、請求項３に係る本発明によれば、スケジュールの端末情報に基づいて、位置情報の真正性を保証して、データの送信をすることができる。
【図面の簡単な説明】
【００２２】
【図１】本発明の一実施形態における位置確認システム１の全体構成を示すシステム図である。
【図２】本発明の一実施形態における端末装置１０のハードウェア構成を示すブロック図である。
【図３】本発明の一実施形態における端末装置１０の機能構成を示すブロック図である。
【図４】本発明の一実施形態におけるサーバ装置１２の機構構成を示すブロック図である。
【図５】本発明の一実施形態におけるサーバ装置１２のスケジュール格納部５２に格納される情報の一例を示す図である。
【図６】本発明の一実施形態における位置確認システム１の全体動作を説明するためのフローチャートである。
【図７】ステップ１０８のデータ送信許可処理の詳細を示すフローチャートである。
【図８】本発明の一実施形態における端末装置１０ａ、１０ｂ、１０ｃとビーコン１４の動作を説明するための図である。
【発明を実施するための形態】
【００２３】
次に、本発明の実施の形態について図面を参照して詳細に説明する。
【００２４】
図１は本発明の一実施形態の位置確認システム１の構成を示すシステム図である。
【００２５】
本発明の一実施形態の位置確認システム１は、図１に示されるように、パーソナルコンピュータ、スマートフォン、タブレット端末装置等の携帯可能な端末装置１０と、制御装置としてのサーバ装置１２と、無線標識としてのビーコン１４と、から構成されている。
【００２６】
なお、端末装置１０は、通信ネットワークを介してサーバ装置１２に接続可能な装置であればどのような装置であっても本発明は適用可能である。
【００２７】
端末装置１０と、サーバ装置１２とは、Ｗｉ−Ｆｉルータ等の無線ＬＡＮターミナルや、インターネット通信網を介して接続され情報の送受信を行っている。
【００２８】
ビーコン１４は、Ｗｉ−Ｆｉ等の電波発生機器を含み、位置情報を取得したい場所に設置される。ビーコン１４は、例えば各会議室等の屋内に設置され、ビーコンを識別するＩＤに関する電波（ビーコン情報）を常時発信している。
【００２９】
端末装置１０は、ビーコン１４が設置された屋内において、ビーコン１４が発信する電波の電波強度（ＲＳＳＩ）によりビーコン１４からの距離を識別し、取得した位置情報としてのビーコン情報をサーバ装置１２へ送信して、自己の位置情報を取得する。また、端末装置１０は、近距離にいる他の端末装置と近距離通信をすることができる。また、サーバ装置１２からデータを受信したり、暗号化されたデータを復号化する復号キーを受信する。
【００３０】
サーバ装置１２は、端末装置１０を制御する制御装置として用いられ、端末装置１０が取得したビーコン情報を基に、端末装置１０を使用するユーザの位置を検出する。具体的には、サーバ装置１２は、端末装置１０から受信したビーコン情報出力値を取得して、端末装置１０とビーコン１４の距離を算出し、最も近くにあるビーコンを特定することで端末装置１０を使用するユーザの位置を検出する。また、端末装置１０にデータを送信したり、データを暗号化して送信したり、データの開示期間を設定して閲覧制限をかけたり、端末装置１０におけるデータの復号化とデータの開示を制御する。
【００３１】
本実施形態の位置確認システム１では、屋内に設置されたビーコン１４の電波を端末装置１０が取得し、端末装置１０がサーバ装置１２にビーコン情報としてのビーコン出力値（電波強度）を送信する。そして、サーバ装置１２では、取得したビーコン出力値から端末装置１０とビーコン１４の距離を算出し、最も近くにあるビーコン１４を特定することでユーザ（端末装置１０）の位置を検出する。そして、端末装置１０から取得された他の端末装置との近距離通信により取得された位置確認情報に基づいて、端末装置１０へデータを送信したり、暗号化したデータの復号キーを送信したり、データの暗号化や復号化とデータの開示期間を決定し、データの閲覧を許可したりする。
【００３２】
端末装置１０は、図２に示されるように、ＣＰＵ１６、一時的にデータを保存可能なメモリ１７、フラッシュメモリ等の記憶装置１８、無線ＬＡＮターミナルとの間で無線通信を行ってデータの送信及び受信を行う無線ＬＡＮインタフェース（ＩＦ）１９、タッチセンサ等の入力装置２０、表示装置２１、マイク２２、近距離通信装置２３を有する。これらの構成要素は、制御バス３０を介して互いに接続されている。
【００３３】
本実施形態の端末装置１０では、表示装置２１上にタッチ位置を検出するためのタッチセンサが入力装置２０として設けられたタッチパネルが備えられていて、このタッチパネルを用いて表示が行われるとともにユーザからの入力が行われる。
【００３４】
ＣＰＵ１６は、メモリ１７または記憶装置１８に格納された制御プログラムに基づいて所定の処理を実行して、端末装置１０の動作を制御する。なお、この制御プログラムは、インターネット通信網や携帯電話回線網を介してダウンロードすることにより入手してＣＰＵ１６に提供することも可能であるし、当該プログラムをＣＤ−ＲＯＭ等の記憶媒体に格納してＣＰＵ１６に提供することも可能である。
【００３５】
近距離通信装置２３は、近距離にいる端末装置１０同士で近距離通信を行ってお互いの端末情報を送受信してデータを送受信する。近距離通信装置２３として、赤外線を利用して通信する赤外線通信装置、Ｂｌｕｅｔｏｏｔｈ（登録商標）、マイク２２とスピーカを用いた非可聴音通信装置等が用いられる。
【００３６】
本実施形態の端末装置１０は、上記の制御プログラムが実行されることにより以下に説明するような動作を行って、例えば会議に必要なデータを受信したり、データの閲覧が可能となる。
【００３７】
図３は、上記の制御プログラムが実行されることにより実現される端末装置１０の機能構成を示すブロック図である。
【００３８】
本実施形態の端末装置１０は、図３に示されるように、位置情報取得部３２と、端末情報送受信３４と、制御部３６と、記憶部３８と、表示部４０と、通信部４２と、を備えている。
【００３９】
位置情報取得部３２は、端末装置１０周辺に設置されたビーコン１４のビーコン情報を取得する。
【００４０】
端末情報送受信部３４は、近距離通信装置２３を用いて、近距離にいる他の端末装置と通信を行って、それぞれの端末情報を送受信する。
【００４１】
記憶部３８は、サーバ装置１２から受信した各種データを記憶する。
【００４２】
表示部４０は、制御部３６による制御に基づいて各種データの表示を行う。
【００４３】
通信部４２は、外部装置であるサーバ装置１２との間で通信を行う。
【００４４】
制御部３６は、位置情報取得部３２により取得した位置情報を通信部４２を介してサーバ装置１２へ送信する。また、端末情報送受信部３４により他の端末装置が端末装置１０と近距離にいることが確認されて取得した位置確認情報を通信部４２を介してサーバ装置１２へ送信する。
【００４５】
また、制御部３６は、取得した位置情報、位置確認情報を表示部４０に表示するよう制御する。
【００４６】
次に、本実施形態の位置確認システムにおけるサーバ装置１２の機能構成を図４のブロック図を参照して説明する。
【００４７】
本実施形態のサーバ装置１２は、図４に示されるように、通信部４４と、制御部４６と、位置情報格納部４８と、位置情報検出部５０と、スケジュール格納部５２と、スケジュール情報検出部５３と、判定部５４と、許可部５６と、を備えている。
【００４８】
位置情報格納部４８は、複数のビーコン１４の出力値（電波強度）に関する情報を格納している。
【００４９】
位置情報検出部５０は、端末装置１０が取得したビーコン出力値（電波強度）から端末装置１０とビーコン１４との距離を算出し、位置情報格納部４８に格納されたビーコン情報のうち最も近くにあるビーコン１４を特定することで端末装置１０の位置（場所）を検出する。
【００５０】
スケジュール格納部５２は、例えば図５に示されているように、日時、場所、参加者、配布物等の複数のスケジュール情報を格納している。日時は、時間情報として格納され、場所は、位置情報として格納され、参加者は、参加者が使用する端末装置１０の端末情報として格納される。
【００５１】
スケジュール情報検出部５３は、端末装置１０がサーバ装置１２にアクセスしている日時からスケジュール格納部５２に格納されている時間情報（図５における日時）に基づいて、その日時におけるスケジュール情報を検出する。
【００５２】
判定部５４は、スケジュール情報検出部５３により検出されたスケジュール情報の位置情報（図５における場所）が端末装置１０から取得された位置情報と一致しているか否かを判定する。また、検出されたスケジュール情報の端末情報（図５における参加者）中に、位置確認情報として取得された端末装置１０の端末情報があるか否かを判定する。
【００５３】
許可部５６は、上記判定部５４において、取得された位置情報がスケジュール情報の位置情報と一致していると判定された場合、又は取得された位置情報がスケジュール情報の位置情報と一致し、さらにスケジュール情報の端末情報中に位置確認情報として確認された端末装置があると判定された場合に、スケジュール情報のデータの送信を許可する。また、暗号化されたデータを復号化する復号キーの送信や、閲覧制限のかけられたデータの閲覧制限を許可する。
【００５４】
なお、本実施形態において、データをスケジュール格納部５２にスケジュール情報として格納する例について説明したが、これに限らず、サーバ装置１２内にデータ格納部を設けて、このデータ格納部内に、端末装置１０に送信する複数のデータを格納し、端末装置１０から要求されたデータの送信を許可するようにしてもよい。なお、複数のデータには、暗号化されたデータ等が含まれている。
【００５５】
そして、制御部４６は、端末装置１０から位置情報を取得した場合、位置情報格納部４８に格納されている複数のデータに基づいて位置情報を算出して端末装置１０の位置を検出するように制御して、通信部４４を介して端末装置１０に送信する。また、取得された位置情報や位置確認情報に基づいて、許可部５６によりデータの送信を許可するように制御して、通信部４４を介して端末装置１０に対してデータを送信したり、暗号化されたデータの復号キーを送信したり、データの閲覧ができるように、データの閲覧制限を解除するように制御する。
【００５６】
次に、本発明の一実施形態における位置確認システム１の動作について詳述する。
図６は、本発明の一実施形態における位置確認システム１の動作を示すフローチャートである。図７は、ステップ１０８のデータ送信許可処理の詳細を示すフローチャートである。図８は、会議室Ａ内の端末装置１０ａ、１０ｂ、１０ｃとビーコン１４の動作を説明する図である。本実施形態においては、図５のスケジュール情報のうち２０１５年１２月２５日の１５時から１６時に場所は会議室Ａにおいて、参加者ａ、ｂ、ｃで開催される会議で会議用配布物であるデータ１をサーバ装置１２から参加者ａ，ｂ，ｃの端末装置１０ａ，１０ｂ，１０ｃにそれぞれ送信する場合を例にして位置確認システム１の動作について説明する。会議室Ａ内にはビーコン１４が設置されている。なお、図６は、端末装置１０ａの動作に注目して説明した図であって、端末装置１０ｂ及び端末装置１０ｃについては端末装置１０ａと同様の構成及び動作の為、説明を省略する。
【００５７】
ステップ１００（Ｓ１００）において、ビーコン１４は、ビーコンを識別するＩＤに関する電波（ビーコン情報）を常時発信している。
【００５８】
ステップ１０１（Ｓ１０１）において、端末装置１０ａは、ビーコン１４から取得したビーコン情報をサーバ装置１２へ送信する。
【００５９】
ステップ１０２（Ｓ１０２）において、サーバ装置１２では、位置情報検出部５０により、端末装置１０ａから受信したビーコン情報に基づいて、位置情報を算出して端末装置１０ａの位置が検出され、検出された位置を端末装置１０ａに送信する。また、スケジュール情報検出部５３により、端末装置１０ａがサーバ装置１２にアクセスしている日時からスケジュール格納部５２に格納されている時間情報（本実施形態における２０１５年１２月２５日１５時〜１６時）に基づいてスケジュール情報を検出する。
【００６０】
次に、ステップ１０３（Ｓ１０３）及びステップ１０４（Ｓ１０４）において、図８に示すように、会議室Ａ内にいる端末装置１０ａ、１０ｂ及び１０ｃ間で近距離通信装置２３により近距離通信を行う。具体的には、端末装置１０ａは自己の端末情報を会議室Ａ内にいる他の端末装置１０ｂ、端末装置１０ｃへ送信する（Ｓ１０３）。そして、端末装置１０ｂ及び端末装置１０ｃから端末装置１０ａの端末情報が認識された旨の情報が送信される（Ｓ１０４）。
【００６１】
ステップ１０５（Ｓ１０５）において、端末装置１０ａは、会議室Ａ内の端末装置１０ｂ及び端末装置１０ｃと近距離にいることが認識されて位置確認情報としてサーバ装置１２へ送信する。
【００６２】
ステップ１０６（Ｓ１０６）において、サーバ装置１２は、端末装置１０ａから位置確認情報を取得する。
【００６３】
つまり、サーバ装置１２が会議室Ａにいる端末装置１０ａ、１０ｂ、１０ｃのビーコン情報及びスケジュール情報を取得後し、スケジュール情報にある参加者ａ、ｂ、ｃが使用する端末装置１０ａ、１０ｂ、１０ｃが赤外線通信等の近距離通信を行って互いの端末情報を送受信して、データのやりとりを行うことで会議室Ａでの会議の参加者である他の端末装置と近接状態にあることを確認し、ビーコン１４から取得された位置情報が正しいことが確認される。すなわち、互いに近距離通信を行うことで会議室Ａ内に端末情報を受信した参加者の位置情報が特定され、位置情報の真正性が保証される。
【００６４】
そして、ステップ１０７（Ｓ１０７）において、端末装置１０ａは、サーバ装置１２へスケジュール格納部５２に格納された会議用配布物であるデータの送信を要求する。
【００６５】
そして、ステップ１０８（Ｓ１０８）において、サーバ装置１２は、要求されたデータの送信を許可するか否かを判定する。ステップ１０８（Ｓ１０８）について詳述する。
【００６６】
ステップ２０１（Ｓ２０１）において、ステップ１０２（Ｓ１０２）において検出された位置情報が、ステップ１０２（Ｓ１０２）において検出されたスケジュール情報の位置情報（本実施形態における会議室Ａ）と一致しているか否かを判定する。一致していると判定されたら次のステップ２０２（Ｓ２０２）へ進み、一致していないと判定されたら処理を終了する（端末装置１０ａへのデータの送信を許可しない。）。
【００６７】
ステップ２０２（Ｓ２０２）において、ステップ１０６（Ｓ１０６）において取得された位置確認情報として取得された端末装置１０ｂが、ステップ１０２（Ｓ１０２）において検出されたスケジュール情報の端末情報の中にあるか否かを判定する。スケジュール情報の端末情報の中にある場合には、次のステップ２０４（Ｓ２０４）へ進み、データの送信を許可して、端末装置１０ａへデータを送信する。端末装置１０ｂがスケジュール情報の端末情報の中にない場合には、次のステップ２０３（Ｓ２０３）へ進む。
【００６８】
ステップ２０３（Ｓ２０３）において、ステップ１０６（Ｓ１０６）において取得された位置確認情報として取得された端末装置１０ｃが、ステップ１０２（Ｓ１０２）において検出されたスケジュール情報の端末情報の中にあるか否かを判定する。スケジュール情報の端末情報の中にある場合には、次のステップ２０４（Ｓ２０４）へ進み、データの送信を許可して、端末装置１０ａへデータを送信する。端末装置１０ｃがスケジュール情報の端末情報の中にない場合には処理を終了する（端末装置１０ａへのデータの送信を許可しない。）。
【００６９】
すなわち、位置情報が一致し、端末情報として他の端末装置の端末情報が少なくとも１つ一致していればデータの送信を許可する。また、暗号化されたデータを復号化する復号キーの送信や、閲覧制限のかけられたデータの閲覧制限を許可する。
【００７０】
そして、ステップ１０９（Ｓ１０９）において、端末装置１０ａは、それぞれ位置確認情報に基づいて許可されたデータを受け付ける。
【００７１】
なお、本実施形態においては、送信要求が許可された場合に、データをサーバ装置１２から端末装置１０に送信する例について説明したが、これに限らず、既に送信してある暗号化されたデータを復号化する復号キーを送信するようにしてもよく、サーバ装置１２内のデータの閲覧制限や編集制限を解除するようにしてもよい。
【００７２】
以上、本発明は、上記実施形態に限定されるものではなく、種々の変更が可能である。
【符号の説明】
【００７３】
１０    端末装置
１２    サーバ装置（制御装置）
１４    ビーコン（無線標識）
１６    ＣＰＵ
１７    メモリ
１８    記憶装置
１９    無線ＬＡＮインタフェース（ＩＦ）
２０    入力装置
２１    表示装置
２２    マイク
２３    近距離通信装置
３２    位置情報取得部
３４    端末情報送受信部
３６    制御部
３８    記憶部
４０    表示部
４２    通信部
４４    通信部
４６    制御部
４８    位置情報格納部
５０    位置情報検出部
５２    スケジュール格納部
５３    スケジュール情報検出部
５４    判定部
５６    許可部
【図１】
0006631941.tif 000002
【図２】
0006631941.tif 000003
【図３】
0006631941.tif 000004
【図４】
0006631941.tif 000005
【図５】
0006631941.tif 000006
【図６】
0006631941.tif 000007
【図７】
0006631941.tif 000008
【図８】
0006631941.tif 000009